【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】
記録データの記録時には、使用者を特定するための使用者識別情報を、前記記録データと共に、記録媒体に記録し、
前記記録データの再生時には、前記記録媒体からの情報から検出された前記使用者識別情報と、前記記録媒体以外から取得した前記使用者識別情報とが一致したときは、前記記録データの再生を許可する
ことを特徴とするデータ記録再生方法。
【請求項２】
請求項１に記載のデータ記録再生方法において、
前記使用者識別情報が予め記憶された不揮発性メモリを設け、前記再生時には前記不揮発性メモリから読み出した前記使用者識別情報を、前記記録媒体以外から取得した前記使用者識別情報とする
ことを特徴とするデータ記録再生方法。
【請求項３】
請求項１に記載のデータ記録再生方法において、
前記記録データは、暗号化されており、前記再生時において、前記記録媒体からの情報から検出された前記使用者識別情報と、前記記録媒体以外から取得した前記使用者識別情報とが一致したときに、前記暗号化が解除される
ことを特徴とするデータ記録再生方法。
【請求項４】
請求項３に記載のデータ記録再生方法において、
前記記録データの暗号化は、前記使用者識別情報に関連付けられている
ことを特徴とするデータ記録再生方法。
【請求項５】
請求項１に記載のデータ記録再生方法において、
前記記録データの記録時には、記録装置とは別体の使用者識別情報提供装置から、前記使用者識別情報を取得するようにする
ことを特徴とするデータ記録再生方法。
【請求項６】
請求項５に記載のデータ記録再生方法において、
前記使用者識別情報提供装置が前記記録装置に接続されていないときには、前記記録データの記録を不可とする
ことを特徴とするデータ記録再生方法。
【請求項７】
請求項５に記載のデータ記録再生方法において、
前記使用者識別情報が予め記憶された不揮発性メモリを設け、前記不揮発性メモリから読み出した前記使用者識別情報を、前記記録媒体以外から取得した前記使用者識別情報とする
ことを特徴とするデータ記録再生方法。
【請求項８】
請求項５に記載のデータ記録再生方法において、
前記使用者識別情報提供装置からの前記使用者識別情報は、暗号化して、前記記録装置に供給するようにする
ことを特徴とするデータ記録再生方法。
【請求項９】
請求項５に記載のデータ記録再生方法において、
前記使用者識別情報提供装置からの前記使用者識別情報は、予め前記使用者識別情報提供装置に格納された当該装置ごとに固有の情報である
ことを特徴とするデータ記録再生方法。
【請求項１０】
請求項１に記載のデータ記録再生方法において、
前記使用者識別情報は、指紋、声紋、脈などの生体情報である
ことを特徴とするデータ記録再生方法。
【請求項１１】
請求項１に記載のデータ記録再生方法において、
前記記録データと共に前記記録媒体に記録する前記使用者識別情報は、前記記録データに埋め込む
ことを特徴とするデータ記録再生方法。
【請求項１２】
使用者を特定するための使用者識別情報を取得するための第１の使用者識別情報取得工程と、
前記第１の使用者識別情報取得工程で取得した前記使用者識別情報を、記録データと共に、記録媒体に記録する記録処理工程と、
前記使用者識別情報を取得するための第２の使用者識別情報取得工程と、
前記記録媒体からの情報から前記使用者識別情報を検出する使用者識別情報検出工程と、
前記使用者識別情報検出工程で検出された前記使用者識別情報と、前記第２の使用者識別情報取得工程で取得した使用者識別情報とが一致するか否かを判定する判定工程と、
前記判定工程において、前記使用者識別情報が一致したと判定されたときに、前記記録媒体に記録されている前記記録データの再生を許可して再生を実行するようにする再生処理工程と、
を備えるデータ記録再生方法。
【請求項１３】
記録データと共に、使用者を特定するための使用者識別情報を、記録媒体に記録する記録手段と、
前記記録媒体からの情報から検出された前記使用者識別情報と、前記記録媒体以外から取得した前記使用者識別情報とが一致したときに、前記記録情報の再生を許可する制御手段と、
を備えることを特徴とするデータ記録再生装置。
【請求項１４】
使用者を特定するための使用者識別情報を取得するための第１の使用者識別情報取得手段と、
前記第１の使用者識別情報取得手段で取得した前記使用者識別情報を、記録データと共に、記録媒体に記録する記録処理手段と、
前記使用者識別情報を取得するための第２の使用者識別情報取得手段と、
前記記録媒体からの情報から検出した前記使用者識別情報と、前記第２の使用者識別情報取得手段から取得した使用者識別情報とが一致したときには、前記記録媒体に記録されている前記記録データの再生を許可して再生を実行するようにする再生処理手段と、
を備えるデータ記録再生装置。
【請求項１５】
記録対象データに付随する使用者を特定するための使用者識別情報と、前記使用者識別情報とは別個に用意された使用者識別情報とが一致したときに前記記録対象データの記録を許可し、
前記記録対象データと共に、前記使用者識別情報を、記録媒体に記録する
ことを特徴とするデータ記録方法。
【請求項１６】
記録対象データに付随する使用者を特定するための使用者識別情報と、前記使用者識別情報とは別個に用意された使用者識別情報とが一致したときに前記記録対象データの記録を許可する制御手段と、
前記制御手段により記録が許可されたときに、前記記録対象データと共に、前記使用者識別情報を、記録媒体に記録する
ことを特徴とするデータ記録装置。
【請求項１７】
使用者を特定するための使用者識別情報を取得し、取得した前記使用者識別情報を、記録データと共に、記録媒体に記録する
ことを特徴とするデータ記録方法。
【請求項１８】
使用者を特定するための使用者識別情報を取得するための使用者識別情報取得手段と、
前記使用者識別情報取得手段で取得した前記使用者識別情報を、所定の記録データと共に、記録媒体に記録する記録処理手段と、
を備えるデータ記録装置。
【請求項１９】
使用者を特定するための使用者識別情報が、記録データと共に記録された記録媒体からの前記記録データの再生方法であって、
前記記録媒体からの情報から前記使用者識別情報を検出し、
前記検出した前記使用者識別情報と、前記記録媒体以外から取得した前記使用者識別情報とが一致しているかどうかを判定し、
一致しているときには、前記記録データの再生を許可する
ことを特徴とするデータ再生方法。
【請求項２０】
使用者を特定するための使用者識別情報が、記録データと共に記録された記録媒体からの前記記録データの再生装置であって、
前記記録媒体からの情報から前記使用者識別情報を検出する使用者識別情報検出手段と、
前記検出した前記使用者識別情報と、前記記録媒体以外から取得した前記使用者識別情報とが一致していると検出したときには、前記記録データの再生を許可する制御手段と
を備えることを特徴とするデータ再生装置。
【請求項２１】
請求項１に記載のデータ記録再生方法において、
前記記録データの再生時において、前記記録媒体からの情報から前記使用者識別情報が検出できなかったときには、前記記録媒体からの情報から抽出される再生条件にしたがった処理を行なう
ことを特徴とするデータ記録再生方法。
【請求項２２】
請求項１に記載のデータ記録再生方法において、
前記記録データの再生時において、前記記録媒体からの情報から前記使用者識別情報が検出できなかったときには、制限付きで再生を行なう
ことを特徴とするデータ記録再生方法。
【請求項２３】
請求項１に記載のデータ記録再生方法において、
前記記録データの再生時において、前記記録媒体からの情報から前記使用者識別情報が検出できなかったときには、課金を伴う再生のみを許可する
ことを特徴とするデータ記録再生方法。
【請求項２４】
請求項１に記載のデータ記録再生方法において、
前記記録データの再生時において、前記記録媒体からの情報から前記使用者識別情報が検出できなかったときには、再生を不可とする
ことを特徴とするデータ記録再生方法。
【請求項２５】
請求項１に記載のデータ記録再生方法において、
前記記録データの再生時において、前記記録媒体からの情報から検出された前記使用者識別情報と、前記記録媒体以外から取得した前記使用者識別情報とが一致しなかったときは、前記記録媒体からの情報から抽出される再生条件にしたがった処理を行なう
ことを特徴とするデータ記録再生方法。
【請求項２６】
請求項１に記載のデータ記録再生方法において、
前記記録データの再生時において、前記記録媒体からの情報から検出された前記使用者識別情報と、前記記録媒体以外から取得した前記使用者識別情報とが一致しなかったときは、制限付きで再生を行なう
ことを特徴とするデータ記録再生方法。
【請求項２７】
請求項１に記載のデータ記録再生方法において、
前記記録データの再生時において、前記記録媒体からの情報から検出された前記使用者識別情報と、前記記録媒体以外から取得した前記使用者識別情報とが一致しなかったときは、課金を伴う再生のみを許可する
ことを特徴とするデータ記録再生方法。
【請求項２８】
請求項１に記載のデータ記録再生方法において、
前記記録データの再生時において、前記記録媒体からの情報から検出された前記使用者識別情報と、前記記録媒体以外から取得した前記使用者識別情報とが一致しなかったときは、再生を不可とする
ことを特徴とするデータ記録再生方法。
【請求項２９】
記録データと共に、使用者を特定するための使用者識別情報が記録されていることを特徴とする記録媒体。
【請求項３０】
著作権管理を必要とするデータ中に、使用者を特定するための使用者識別情報が含まれてなる伝送データ。
【請求項３１】
使用者を特定するための使用者識別情報を含む伝送データを伝送し、
前記伝送データの受信時に、前記伝送データから前記使用者識別情報を検出し、その検出した前記使用者識別情報と、前記伝送データ以外から取得した前記使用者識別情報とを比較し、一致したときに、前記伝送データを利用可能とする
ことを特徴とするデータ伝送方法。